(57)【要約】【課題】表示装置に表示される画像の測色結果を用いて、表示装置が自動補正機能を使用していることを検出する。【解決手段】表示装置の表示画面に順番に表示させる第１輝度検査用画像Ｉ１１〜第３輝度検査用画像Ｉ１３は、それぞれ、共通の面積に設定された背景画像Ｉａと共通の面積に設定された前景画像Ｉｂとを有しており、前景画像Ｉｂの階調値が（Ｒ，Ｇ，Ｂ＝２５５，２５５，２５５）で固定される一方、背景画像Ｉａの階調値が（Ｒ，Ｇ，Ｂ＝０，０，０）、（Ｒ，Ｇ，Ｂ＝６４，６４，６４）、（Ｒ，Ｇ，Ｂ＝１９２，１９２，１９２）に変更される。そして、第１輝度検査用画像Ｉ１１〜第３輝度検査用画像Ｉ１３における各前景画像Ｉｂの一部を測色領域Ｍとして測色を行い、得られた測色結果から、表示装置で自動輝度補正機能が働いているか否かを判定する。【選択図】図８
2015091010.tif 000002
【特許請求の範囲】
【請求項１】
測色の対象となる対象領域を第１の画像で構成し且つ測色の対象とはならない非対象領域を第２の画像で構成した第１の表示画像と、当該対象領域を当該第１の画像で構成し且つ当該非対象領域を当該第２の画像とは平均階調値が異なる第３の画像で構成した第２の表示画像とを、順次表示装置に出力する出力手段と、
前記表示装置に表示された前記第１の表示画像および前記第２の表示画像のそれぞれにおける前記対象領域を測色したときの測色結果が異なる場合に、当該表示装置にて自動補正機能が働いているものと判定する判定手段と
を含む自動補正機能判定装置。
【請求項２】
前記出力手段は、前記第１の表示画像および前記第２の表示画像のそれぞれにおいて、前記対象領域を取り囲むとともに当該対象領域に近い領域を前記第１の画像で構成することを特徴とする請求項１記載の自動補正機能判定装置。
【請求項３】
前記第１の画像は肌色で構成され、
前記第２の画像および前記第３の画像は少なくとも一部に肌色の領域を含むとともに、当該第３の画像における肌色の領域は当該第２の画像における肌色の領域よりも大きいことを特徴とする請求項１または２記載の自動補正機能判定装置。
【請求項４】
コンピュータに、
測色の対象となる対象領域を第１の画像で構成し且つ測色の対象とはならない非対象領域を第２の画像で構成した第１の表示画像と、当該対象領域を当該第１の画像で構成し且つ当該非対象領域を当該第２の画像とは平均階調値が異なる第３の画像で構成した第２の表示画像とを、順次表示装置に出力させる機能と、
前記表示装置に表示された前記第１の表示画像および前記第２の表示画像のそれぞれにおける前記対象領域を測色したときの測色結果が異なる場合に、当該表示装置にて自動補正機能が働いているものと判定する機能と
を実現させるプログラム。
【発明の詳細な説明】
【技術分野】
【０００１】
本発明は、自動補正機能判定装置およびプログラムに関する。
【背景技術】
【０００２】
公報記載の従来技術として、フラットパネルの全表示画面に対するバックライトからの光を遮るドットの割合である遮光割合と所定の値との比較により、バックライトの輝度調整を行うようにしたフラットパネル表示装置が存在する（特許文献１参照）。
【０００３】
また、他の公報記載の従来技術として、光源と、画像の輝度を有する画像データを一時的に記憶する画像データバッファと、画像の輝度が黒の閾値よりも低い場合には光源の照明レベルを減少し、画像の輝度が白の閾値よりも高い場合には光源の照明レベルを増加するマイクロプロセッサとを備えた画像コントラスト向上装置が存在する（特許文献２参照）。
【０００４】
さらに、他の公報記載の従来技術として、外部から入力されるデータを輝度成分および色彩成分に変換するための輝度／色分離部と、輝度成分をフレーム単位のヒストグラムに変換するヒストグラム分析部と、得られたヒストグラムを利用して多数のランプの点灯時間を調節するための明るさ制御信号を生成するバックライト制御手段とを備えた液晶装置の駆動装置が存在する（特許文献３参照）。
【先行技術文献】
【特許文献】
【０００５】
【特許文献１】特開平６−９５０６９号公報
【特許文献２】特開２００７−６５６０８号公報
【特許文献３】特開２００５−１９６１０８号公報
【発明の概要】
【発明が解決しようとする課題】
【０００６】
本発明は、表示装置に表示される画像の測色結果を用いて、表示装置が自動補正機能を使用していることを検出することを目的とする。
【課題を解決するための手段】
【０００７】
請求項１記載の発明は、測色の対象となる対象領域を第１の画像で構成し且つ測色の対象とはならない非対象領域を第２の画像で構成した第１の表示画像と、当該対象領域を当該第１の画像で構成し且つ当該非対象領域を当該第２の画像とは平均階調値が異なる第３の画像で構成した第２の表示画像とを、順次表示装置に出力する出力手段と、前記表示装置に表示された前記第１の表示画像および前記第２の表示画像のそれぞれにおける前記対象領域を測色したときの測色結果が異なる場合に、当該表示装置にて自動補正機能が働いているものと判定する判定手段とを含む自動補正機能判定装置である。
請求項２記載の発明は、前記出力手段は、前記第１の表示画像および前記第２の表示画像のそれぞれにおいて、前記対象領域を取り囲むとともに当該対象領域に近い領域を前記第１の画像で構成することを特徴とする請求項１記載の自動補正機能判定装置である。
請求項３記載の発明は、前記第１の画像は肌色で構成され、前記第２の画像および前記第３の画像は少なくとも一部に肌色の領域を含むとともに、当該第３の画像における肌色の領域は当該第２の画像における肌色の領域よりも大きいことを特徴とする請求項１または２記載の自動補正機能判定装置である。
請求項４記載の発明は、コンピュータに、測色の対象となる対象領域を第１の画像で構成し且つ測色の対象とはならない非対象領域を第２の画像で構成した第１の表示画像と、当該対象領域を当該第１の画像で構成し且つ当該非対象領域を当該第２の画像とは平均階調値が異なる第３の画像で構成した第２の表示画像とを、順次表示装置に出力させる機能と、前記表示装置に表示された前記第１の表示画像および前記第２の表示画像のそれぞれにおける前記対象領域を測色したときの測色結果が異なる場合に、当該表示装置にて自動補正機能が働いているものと判定する機能とを実現させるプログラムである。
【発明の効果】
【０００８】
請求項１記載の発明によれば、本構成を有していない場合と比較して、表示装置に表示される画像の測色結果を用いて、表示装置が自動補正機能を使用していることを検出することができる。
請求項２記載の発明によれば、本構成を有していない場合と比較して、測色結果に及ぼす対象領域周辺の画像の影響を抑制することができる。
請求項３記載の発明によれば、本構成を有していない場合と比較して、表示装置が肌色補正機能を使用していることを、より的確に検出することができる。
請求項４記載の発明によれば、本構成を有していない場合と比較して、表示装置に表示される画像の測色結果を用いて、表示装置が自動補正機能を使用していることを検出することができる。
【図面の簡単な説明】
【０００９】
【図１】本発明の実施の形態が適用される画像表示システムの構成の一例を示した図である。
【図２】コンピュータ装置のハードウェア構成を示した図である。
【図３】コンピュータ装置の機能構成を示した図である。
【図４】表示装置のキャリブレーション動作の手順を示すフローチャートである。
【図５】自動補正機能検査の手順を示すフローチャートである。
【図６】検査用画像の構成例を示す図である。
【図７】実施の形態１で用いられる検査用画像の内容を説明するための図である。
【図８】（ａ）〜（ｃ）は、実施の形態１で用いられる輝度検査用画像の構造を説明するための図である。
【図９】（ａ）〜（ｃ）は、実施の形態１で用いられる中間調検査用画像の構造を説明するための図である。
【図１０】（ａ）〜（ｃ）は、実施の形態１で用いられる肌色検査用画像の構造を説明するための図である。
【図１１】（ａ）〜（ｃ）は、自動輝度補正機能の判定手法を説明するための図である。
【図１２】実施の形態２で用いられる検査用画像の内容を説明するための図である。
【図１３】（ａ）〜（ｃ）は、実施の形態２で用いられる輝度検査用画像の構造を説明するための図である。
【図１４】（ａ）〜（ｃ）は、実施の形態２で用いられる中間調検査用画像の構造を説明するための図である。
【図１５】（ａ）〜（ｃ）は、実施の形態２で用いられる肌色検査用画像の構造を説明するための図である。
【図１６】実施の形態３における検査用画像の表示処理の手順を示すフローチャートである。
【図１７】実施の形態３における検査用画像の構成例を示す図である。
【図１８】実施の形態３における検査用画像の内容を説明するための図である。
【図１９】（ａ）、（ｂ）は、実施の形態３における輝度検査用画像の構造を説明するための図である。
【発明を実施するための形態】
【００１０】
以下、添付図面を参照して、本発明の実施の形態について詳細に説明する。
＜実施の形態１＞
図１は、本実施の形態が適用される画像表示システム１０の構成の一例を示した図である。
この画像表示システム１０は、表示のための画像データの作成等を行うコンピュータ装置２０と、コンピュータ装置２０で作成された画像データに基づく画像を表示画面３１に表示する表示装置３０と、コンピュータ装置２０に対する入力等を受け付ける入力装置４０とを備えている。
【００１１】
この画像表示システム１０において、コンピュータ装置２０および表示装置３０はＤＶＩ（Digital Visual Interface）を介して接続されており、コンピュータ装置２０および入力装置４０はＵＳＢ（Universal Serial Bus）を介して接続されている。なお、コンピュータ装置２０および表示装置３０については、ＤＶＩに代えて、ＨＤＭＩ（High-Definition Multimedia Interface：登録商標）やDisplayPortを介して接続するようにしてもかまわない。
【００１２】
自動補正機能判定装置の一例としてのコンピュータ装置２０は、所謂汎用のパーソナルコンピュータである。そして、コンピュータ装置２０は、ＯＳ（Operating System）の管理下において、各種アプリケーションソフトウェアを動作させることで、画像データの作成等を行うようになっている。
【００１３】
また、表示装置３０は、例えばＰＣ用の液晶ディスプレイ、液晶テレビあるいはプロジェクタなど、加法混色にて画像を表示する機能を備えたもので構成される。したがって、表示装置３０における表示方式は、液晶方式に限定されるものではない。ここで、本実施の形態では、表示装置３０が、赤（Ｒ）、緑（Ｇ）および青（Ｂ）の３色を用いて画像の表示を行っているものとする。なお、図１は、表示装置３０としてＰＣ用の液晶ディスプレイを用いた場合を例示していることから、表示装置３０内に表示画面３１が設けられているが、表示装置３０として例えばプロジェクタを用いる場合、表示画面３１は、表示装置３０の外部に設けられたスクリーン等となる。
【００１４】
さらに、入力装置４０としては、例えば図１に示すキーボード装置や、図示しないマウス装置等が挙げられる。
【００１５】
この画像表示システム１０では、例えば入力装置４０およびコンピュータ装置２０を用いて作成した表示用画像データに基づく画像（表示用画像）を、表示装置３０の表示画面３１に表示させるようになっている。ここで、コンピュータ装置２０で動作するアプリケーションソフトウェアを用いて製品のデザイン等を行う場合には、表示装置３０における表示画面３１に、画像を正しい色で表示させることが要求される。このため、この画像表示システム１０では、コンピュータ装置２０で作成した較正用画像データに基づく較正用画像を表示装置３０にて表示画面３１に表示させ、表示画面３１に表示された較正用画像を読み取った結果に基づいて、表示画面３１に表示させる色を較正するキャリブレーション動作を実行できるようになっている。
【００１６】
また、本実施の形態の画像表示システム１０では、上記キャリブレーション動作において、表示画面３１に較正用画像を表示させる前に、表示装置３０における自動補正機能の設定の有無を確認するための自動補正機能検査を実行するようになっている。ここで、表示装置３０における自動補正機能とは、表示装置３０が、表示装置３０に入力されてくる画像データの内容に基づいて、表示画面３１に表示する画像の輝度、ガンマあるいは特定の色（例えば肌色）等を、自動的に補正する機能をいう。この機能は、コンピュータ装置２０側で制御できるものではなく、表示装置３０が独自に実行するものである。なお、表示装置３０には、このような自動補正機能を具備しているものと具備していないものとが存在する。また、自動補正機能を具備した表示装置３０であっても、この自動補正機能がオンに設定されている場合とオフに設定されている場合とが存在し得る。そこで、この画像表示システム１０では、自動補正機能検査において、コンピュータ装置２０で作成した検査用画像データに基づく検査用画像を表示装置３０にて表示画面３１に表示させ、表示画面３１に表示された検査用画像を読み取った結果に基づいて、表示装置３０が自動補正機能を使用して表示画面３１に画像を表示させているか否かを判定している。
【００１７】
なお、表示装置３０において、このような自動補正機能が働いた状態のままキャリブレーション動作を実行したとしても、較正結果が不十分となってしまい、正確な色の画像を表示画面３１に表示させることができなくなってしまう。
【００１８】
また、以下の説明では、キャリブレーション動作において表示画面３１に表示される較正用画像、および、自動補正機能検査において表示画面３１に表示される検査用画像を、まとめて「測色用画像」と称する。
【００１９】
ここで、図１には、上記自動補正機能検査を含むキャリブレーション動作で用いられ、表示装置３０の表示画面３１に表示された測色用画像の読み取りに使用される測色器１００を、画像表示システム１０と併せて示している。
【００２０】
測色器１００は、赤（Ｒ）、緑（Ｇ）および青（Ｂ）の３色にて画像を読み取るセンサ（図示せず）を備えており、表示画面３１に表示された測色用画像を、所謂フルカラーにて測定することが可能となっている。また、図１に示す例において、測色器１００は、ＰＣ用液晶ディスプレイからなる表示装置３０の筐体の上方側から吊り下げられており、センサを用いた受光面が表示画面３１に接触する所謂接触型となっている。そして、この例において、測色器１００およびコンピュータ装置２０はＵＳＢを介して接続されている。また、測色器１００は、吊り下げ用のホルダ（図示せず）を用いて表示画面３１上に配置されるようになっている。なお、表示装置３０として例えばプロジェクタを用いる場合、測色器１００は、プロジェクタを用いてスクリーンに投影された測色用画像を、スクリーンから離れた位置から撮影する所謂非接触型となる。
【００２１】
そして、本実施の形態では、測色器１００が、表示画面３１における全表示領域のうち、少なくとも半分以下となる一部の領域（以下では測色領域と呼ぶ）を読み取るように構成されている。
【００２２】
図２は、コンピュータ装置２０のハードウェア構成を示した図である。
コンピュータ装置２０は、上述したようにパーソナルコンピュータ等により実現される。そして図示するように、コンピュータ装置２０は、演算手段であるＣＰＵ（Central Processing Unit）２１と、記憶手段であるメインメモリ２２およびＨＤＤ（Hard Disk Drive）２３とを備える。ここで、ＣＰＵ２１は、ＯＳ（Operating System）やアプリケーションソフトウェア等の各種プログラムを実行する。また、メインメモリ２２は、各種プログラムやその実行に用いるデータ等を記憶する記憶領域であり、ＨＤＤ２３は、各種プログラムに対する入力データや各種プログラムからの出力データ等を記憶する記憶領域である。さらに、コンピュータ装置２０は、入力装置４０や表示装置３０を含む外部との通信を行うための通信インタフェース（以下、「通信Ｉ／Ｆ」と表記する）２４を備えている。
【００２３】
図３は、本実施の形態のコンピュータ装置２０の機能構成例を示した図である。
このコンピュータ装置２０は、表示制御部２１０と、出力画像データ作成部２２０と、検査用画像記憶部２３０と、較正用画像記憶部２４０と、測色データ取得部２５０と、自動補正機能判定部２６０と、色変換プロファイル作成部２７０と、色変換プロファイル記憶部２８０とを備えている。
【００２４】
表示制御部２１０には、入力装置４０からユーザによる指示が、また、自動補正機能判定部２６０から自動補正機能の設定の有無に関する判定結果が、それぞれ入力されてくる。そして、表示制御部２１０は、上記指示および判定結果に基づき、表示装置３０の表示画面３１に表示させる画像の種別を決定し、その決定結果を出力画像データ作成部２２０に出力する。また、表示制御部２１０は、出力画像データ作成部２２０、検査用画像記憶部２３０、較正用画像記憶部２４０、測色データ取得部２５０、自動補正機能判定部２６０、色変換プロファイル作成部２７０および色変換プロファイル記憶部２８０の動作を制御する。
【００２５】
出力手段の一例としての出力画像データ作成部２２０には、表示制御部２１０から、画像の種別の決定結果が入力されてくる。そして、出力画像データ作成部２２０は、上記決定結果に基づき、表示装置３０の表示画面３１に表示させるための出力画像データを作成し、作成した出力画像データを表示装置３０に向けて出力する。ここで、出力画像データ作成部２２０が作成する出力画像データは、上述した表示用画像データ、較正用画像データまたは検査用画像データのいずれかを含むものとなっている。
【００２６】
検査用画像記憶部２３０は、出力画像データ作成部２２０が検査用画像データを含む出力画像データを作成する際に使用する検査用画像の元データを記憶する。
【００２７】
較正用画像記憶部２４０は、出力画像データ作成部２２０が較正用画像データを含む出力画像データを作成する際に使用する較正用画像の元データを記憶する。
【００２８】
測色データ取得部２５０は、出力画像データ作成部２２０によって作成された出力画像データに基づいて表示装置３０の表示画面３１に表示された測色用画像（検査用画像または較正用画像）の、測色器１００による測色領域の読取結果である測色データを取得する。そして、測色データ取得部２５０は、測色データが検査用画像を読み取って得た検査用測色データである場合には、この検査用測色データを自動補正機能判定部２６０に出力し、測色データが較正用画像を読み取って得た較正用測色データである場合には、この較正用測色データを色変換プロファイル作成部２７０に出力する。
【００２９】
判定手段の一例としての自動補正機能判定部２６０には、測色データ取得部２５０から、検査用測色データが入力されてくる。そして、自動補正機能判定部２６０は、検査用測色データに基づいて表示装置３０における自動補正機能の設定の有無を判定し、得られた判定結果（設定あり／設定なし）を表示制御部２１０に出力する。ここで、本実施の形態の自動補正機能判定部２６０では、入力されてくる検査用測色データの色空間（ＲＧＢ色空間）を、Ｌ＊ａ＊ｂ＊色空間に変換する機能を有している。ただし、これに限られるものではなく、ＲＧＢ色空間をＸＹＺ色空間に変換するものであってもよい。
【００３０】
色変換プロファイル作成部２７０には、測色データ取得部２５０から、較正用測色データが入力されてくる。そして、色変換プロファイル作成部２７０は、較正用測色データに基づいて表示装置３０に対応させた色変換プロファイルを作成し、得られた色変換プロファイルを色変換プロファイル記憶部２８０に出力する。
【００３１】
色変換プロファイル記憶部２８０は、色変換プロファイル作成部２７０から入力されてくる、表示装置３０に対応させた色変換プロファイルを記憶する。そして、色変換プロファイル記憶部２８０は、出力画像データ作成部２２０が表示用画像データを含む出力画像データを作成する際に、出力画像データ作成部２２０に色変換プロファイルを出力する。
【００３２】
ここで、本実施の形態の出力画像データ作成部２２０は、表示用画像データを含む出力画像データを作成する場合に、色変換プロファイル記憶部２８０から読み出した色変換プロファイルを用いた色変換処理を行う。一方、出力画像データ作成部２２０は、検査用画像データを含む出力画像データあるいは較正用画像データを含む出力画像データを作成する場合に、上記色変換プロファイルを用いた色変換処理を行わない。
【００３３】
なお、図３に示すコンピュータ装置２０を構成する表示制御部２１０、出力画像データ作成部２２０、検査用画像記憶部２３０、較正用画像記憶部２４０、測色データ取得部２５０、自動補正機能判定部２６０、色変換プロファイル作成部２７０および色変換プロファイル記憶部２８０の機能は、ソフトウェアとハードウェア資源とが協働することにより実現される。すなわち、図２に示すコンピュータ装置２０に設けられたＣＰＵ２１が、各部の機能を実現するプログラムを、例えばＨＤＤ２３の記憶装置からメインメモリ２２に読み込んで、これらの各機能を実現する。また、ＨＤＤ２３やメインメモリ２２等の記憶装置が、検査用画像記憶部２３０、較正用画像記憶部２４０および色変換プロファイル記憶部２８０の機能を実現する。
【００３４】
図４は、表示装置３０のキャリブレーション動作の手順を示すフローチャートである。なお、以下に示す処理は、コンピュータ装置２０によって実行される。
【００３５】
この処理では、まず、表示制御部２１０が、入力装置４０を介して、表示装置３０における色変換目標の設定を受け付ける（ステップ１０）。そして、表示制御部２１０は、色変換目標の設定を受け付けることに伴い、表示装置３０が自動補正機能を使用して表示画面３１に画像を表示させているか否かを判定するための自動補正機能検査を実行させる（ステップ２０）。なお、ステップ２０では、出力画像データ作成部２２０、検査用画像記憶部２３０、測色データ取得部２５０および自動補正機能判定部２６０を用いて自動補正機能検査を実行するのであるが、その具体的な手順については後述する。
【００３６】
続いて、表示制御部２１０は、自動補正機能判定部２６０から入力されてくる自動補正機能検査の判定結果に基づき、表示装置３０が、現在の設定において自動補正機能を使用しているか否かを判断する（ステップ３０）。
【００３７】
ステップ３０において肯定の判断（ＹＥＳ）を行った場合、表示制御部２１０は、表示装置３０に設定された自動補正機能の設定の解除を促すための、ユーザに対する通知を行わせる（ステップ４０）。ここで、ステップ４０のユーザ通知は、例えば表示装置３０の表示画面３１に、予め決められたメッセージを表示させることによって行うことができる。なお、ステップ３０において否定の判断（ＮＯ）を行った場合、表示制御部２１０は、後述するステップ６０へと進んで処理を続行する。
【００３８】
それから、表示制御部２１０は、入力装置４０を介して表示装置３０の設定変更（自動補正機能の設定の解除）が完了したことを受け付けると（ステップ５０）、ステップ１０で設定を受け付けた色変換目標に、表示装置３０の表示特性を整合させるための色変換プロファイルの作成に用いられる特性データの測定を実行させる（ステップ６０）。なお、ステップ６０では、出力画像データ作成部２２０、較正用画像記憶部２４０、測色データ取得部２５０を用いて、表示装置３０に較正用画像を表示させたり、表示された較正用画像を測色器１００で測色した較正用測色データを取得したりすることにより、特性データの測定を行うのであるが、その具体的な手順については省略する。
【００３９】
そして、色変換プロファイル作成部２７０は、ステップ６０で得た特性データに基づいて表示装置３０用の色変換プロファイルを作成し（ステップ７０）、作成した色変換プロファイルを色変換プロファイル記憶部２８０に記憶させ（ステップ８０）、キャリブレーション動作を完了する。
【００４０】
図５は、図４のステップ２０に示す自動補正機能検査の手順を示すフローチャート（サブルーチン）である。
この処理では、コンピュータ装置２０が、まず、表示装置３０の表示画面３１に表示する画像の内容に応じて表示画面３１の輝度を自動補正する自動輝度補正機能が、表示装置３０で働いているか否かを検査する自動輝度補正機能検査工程を実行する（ステップ１００）。続いて、コンピュータ装置２０は、表示装置３０の表示画面３１に表示する画像の内容に応じてガンマ補正で用いるガンマ値のカーブを自動調整することで、表示画面３１における中間調の階調値を自動補正する自動中間調補正機能が、表示装置３０で働いているか否かを検査する自動中間調補正機能検査工程を実行する（ステップ２００）。さらに、コンピュータ装置２０は、表示装置３０の表示画面３１に表示する画像の内容に応じて表示画面３１に表示する赤（Ｒ）の階調値を自動調整することで、表示画面３１における肌色の色味を自動補正する自動肌色補正機能が、表示装置３０で働いているか否かを検査する自動肌色補正機能検査工程を実行する（ステップ３００）。
【００４１】
これらのうち、自動輝度補正機能は、画像を出力する際に消費する電力が高い場合に、消費電力を一定以下に抑えるために表示画像全体の輝度を下げる補正を、表示装置３０自身で独自に行うものが一例として挙げられる。自動輝度補正機能では、平均階調値が予め決められた基準値以上の場合にはこの補正はかからずに、平均階調値が基準値未満だった場合にのみこの補正がかかる、ということが想定される。
【００４２】
また、自動中間調補正機能は、画像全体が暗い場合や明るい場合に、その周囲の色に合わせて中間調画像（特に、彩度が０に近いグレイ画像）の色のみを意図的に明るくしたり暗くしたりする補正を、表示装置３０自身で独自に行うものが一例として挙げられる。自動中間調補正機能では、平均階調値を上げたり下げたりすることで補正がかかったりかからなかったりする、ということが想定される。
【００４３】
さらに、自動肌色補正機能は、例えば暗いシーンでの人の撮影画像などにおいて人の肌の色をきれいに見せるために、肌色部分のみ明るく見せたり色づきを良くしたりといった補正を、表示装置３０自身で独自に行うものが一例として考えられる。自動肌色補正機能では、平均階調値が予め決められた基準値未満の場合にはこの補正はかからずに、平均階調値が基準値以上だった場合に、肌色近傍の画素のみこの補正がかかる、ということが想定される。
【００４４】
この他にも、自動肌色補正機能は、表示画面３１に占める肌色画像の面積（画素数）が多い場合に、例えばそれを人の肌と認識し、その肌色部分のみ明るく見せたり色づきを良くしたりといった補正を、表示装置３０自身で独自に行うものが一例として考えられる。このような自動肌色補正機能では、肌色と判断された画素の数又は面積がある一定以上の場合に、肌色と判断された画素のみにこの補正がかかる、ということが想定される。
【００４５】
ここで、「肌色画像」は、一般的/統計的に人の肌の色と判断される色値を含む画像を指しており、少なくとも赤色成分を含む有彩色画像であることがいえる。人の肌の色と判断される色値については、人種や国籍によっても様々であり、ディスプレイの種類によっても異なるため、その幅は様々であるが、例としてＲＧＢ値（２５０，２００，１５０）などが挙げられる。本実施の形態では、「肌色」を「少なくとも赤色成分を含む有彩色」として扱うことにする。
【００４６】
では、ステップ１００に示す自動輝度補正機能検査工程について、具体的に説明を行う。
自動輝度補正機能検査工程においては、まず、出力画像データ作成部２２０が、検査用画像記憶部２３０から読み出した元データに基づいて第１輝度検査用画像データを作成し、作成した第１輝度検査用画像データを表示装置３０に向けて出力する（ステップ１１０）。これに伴い、表示装置３０は、入力されてくる第１輝度検査用画像データに基づいて、表示画面３１に第１輝度検査用画像を表示させる。また、測色器１００は、表示画面３１に表示された第１輝度検査用画像を測定する。そして、測色データ取得部２５０は、測色器１００が第１輝度検査用画像を読み取って得た第１輝度測定結果（検査用測色データ）を取得し（ステップ１２０）、取得した第１輝度測定結果を自動補正機能判定部２６０に出力する。
【００４７】
次に、出力画像データ作成部２２０は、検査用画像記憶部２３０から読み出した元データに基づいて第２輝度検査用画像データを作成し、作成した第２輝度検査用画像データを表示装置３０に向けて出力する（ステップ１３０）。これに伴い、表示装置３０は、入力されてくる第２輝度検査用画像データに基づいて、表示画面３１に第２輝度検査用画像を表示させる。また、測色器１００は、表示画面３１に表示された第２輝度検査用画像を測定する。そして、測色データ取得部２５０は、測色器１００が第２輝度検査用画像を読み取って得た第２輝度測定結果（検査用測色データ）を取得し（ステップ１４０）、取得した第２輝度測定結果を自動補正機能判定部２６０に出力する。
【００４８】
続いて、出力画像データ作成部２２０は、検査用画像記憶部２３０から読み出した元データに基づいて第３輝度検査用画像データを作成し、作成した第３輝度検査用画像データを表示装置３０に向けて出力する（ステップ１５０）。これに伴い、表示装置３０は、入力されてくる第３輝度検査用画像データに基づいて、表示画面３１に第３輝度検査用画像を表示させる。また、測色器１００は、表示画面３１に表示された第３輝度検査用画像を測定する。そして、測色データ取得部２５０は、測色器１００が第３輝度検査用画像を読み取って得た第３輝度測定結果（検査用測色データ）を取得し（ステップ１６０）、取得した第３輝度測定結果を自動補正機能判定部２６０に出力する。
【００４９】
それから、自動補正機能判定部２６０は、ステップ１２０で取得した第１輝度測定結果と、ステップ１４０で取得した第２輝度測定結果と、ステップ１６０で取得した第３輝度測定結果とに基づいて、表示装置３０において自動輝度補正機能が働いているか否かを判定し（ステップ１７０）、得られた判定結果を表示制御部２１０に出力する。
【００５０】
ここで、第１輝度検査用画像を第１の表示画像とみなした場合、第２輝度検査用画像あるいは第３輝度検査用画像が第２の表示画像となる。また、第２輝度検査用画像を第１の表示画像とみなした場合、第３輝度検査用画像が第２の表示画像となる。なお、ステップ１００の自動輝度補正機能検査工程で使用する、第１輝度検査用画像、第２輝度検査用画像および第３輝度検査用画像の詳細については後述する。
【００５１】
続いて、ステップ２００に示す自動中間調補正機能検査工程について説明を行う。
自動中間調補正機能検査工程においては、まず、出力画像データ作成部２２０が、検査用画像記憶部２３０から読み出した元データに基づいて第１中間調検査用画像データを作成し、作成した第１中間調検査用画像データを表示装置３０に向けて出力する（ステップ２１０）。これに伴い、表示装置３０は、入力されてくる第１中間調検査用画像データに基づいて、表示画面３１に第１中間調検査用画像を表示させる。また、測色器１００は、表示画面３１に表示された第１中間調検査用画像を測定する。そして、測色データ取得部２５０は、測色器１００が第１中間調検査用画像を読み取って得た第１中間調測定結果（検査用測色データ）を取得し（ステップ２２０）、取得した第１中間調測定結果を自動補正機能判定部２６０に出力する。
【００５２】
次に、出力画像データ作成部２２０は、検査用画像記憶部２３０から読み出した元データに基づいて第２中間調検査用画像データを作成し、作成した第２中間調検査用画像データを表示装置３０に向けて出力する（ステップ２３０）。これに伴い、表示装置３０は、入力されてくる第２中間調検査用画像データに基づいて、表示画面３１に第２中間調検査用画像を表示させる。また、測色器１００は、表示画面３１に表示された第２中間調検査用画像を測定する。そして、測色データ取得部２５０は、測色器１００が第２中間調検査用画像を読み取って得た第２中間調測定結果（検査用測色データ）を取得し（ステップ２４０）、取得した第２中間調測定結果を自動補正機能判定部２６０に出力する。
【００５３】
続いて、出力画像データ作成部２２０は、検査用画像記憶部２３０から読み出した元データに基づいて第３中間調検査用画像データを作成し、作成した第３中間調検査用画像データを表示装置３０に向けて出力する（ステップ２５０）。これに伴い、表示装置３０は、入力されてくる第３中間調検査用画像データに基づいて、表示画面３１に第３中間調検査用画像を表示させる。また、測色器１００は、表示画面３１に表示された第３中間調検査用画像を測定する。そして、測色データ取得部２５０は、測色器１００が第３中間調検査用画像を読み取って得た第３中間調測定結果（検査用測色データ）を取得し（ステップ２６０）、取得した第３中間調測定結果を自動補正機能判定部２６０に出力する。
【００５４】
それから、自動補正機能判定部２６０は、ステップ２２０で取得した第１中間調測定結果と、ステップ２４０で取得した第２中間調測定結果と、ステップ２６０で取得した第３中間調測定結果とに基づいて、表示装置３０において自動中間調補正機能が働いているか否かを判定し（ステップ２７０）、得られた判定結果を表示制御部２１０に出力する。
【００５５】
ここで、第１中間調検査用画像を第１の表示画像とみなした場合、第２中間調検査用画像あるいは第３中間調検査用画像が第２の表示画像となる。また、第２中間調検査用画像を第１の表示画像とみなした場合、第３中間調検査用画像が第２の表示画像となる。なお、ステップ２００の自動中間調補正機能検査工程で使用する、第１中間調検査用画像、第２中間調検査用画像および第３中間調検査用画像の詳細については後述する。
【００５６】
今度は、ステップ３００に示す自動肌色補正機能検査工程について説明を行う。
自動肌色補正機能検査工程においては、まず、出力画像データ作成部２２０が、検査用画像記憶部２３０から読み出した元データに基づいて第１肌色検査用画像データを作成し、作成した第１肌色検査用画像データを表示装置３０に向けて出力する（ステップ３１０）。これに伴い、表示装置３０は、入力されてくる第１肌色検査用画像データに基づいて、表示画面３１に第１肌色検査用画像を表示させる。また、測色器１００は、表示画面３１に表示された第１肌色検査用画像を測定する。そして、測色データ取得部２５０は、測色器１００が第１肌色検査用画像を読み取って得た第１肌色測定結果（検査用測色データ）を取得し（ステップ３２０）、取得した第１肌色測定結果を自動補正機能判定部２６０に出力する。
【００５７】
次に、出力画像データ作成部２２０は、検査用画像記憶部２３０から読み出した元データに基づいて第２肌色検査用画像データを作成し、作成した第２肌色検査用画像データを表示装置３０に向けて出力する（ステップ３３０）。これに伴い、表示装置３０は、入力されてくる第２肌色検査用画像データに基づいて、表示画面３１に第２肌色検査用画像を表示させる。また、測色器１００は、表示画面３１に表示された第２肌色検査用画像を測定する。そして、測色データ取得部２５０は、測色器１００が第２肌色検査用画像を読み取って得た第２肌色測定結果（検査用測色データ）を取得し（ステップ３４０）、取得した第２肌色測定結果を自動補正機能判定部２６０に出力する。
【００５８】
続いて、出力画像データ作成部２２０は、検査用画像記憶部２３０から読み出した元データに基づいて第３肌色検査用画像データを作成し、作成した第３肌色検査用画像データを表示装置３０に向けて出力する（ステップ３５０）。これに伴い、表示装置３０は、入力されてくる第３肌色検査用画像データに基づいて、表示画面３１に第３肌色検査用画像を表示させる。また、測色器１００は、表示画面３１に表示された第３肌色検査用画像を測定する。そして、測色データ取得部２５０は、測色器１００が第３肌色検査用画像を読み取って得た第３肌色測定結果（検査用測色データ）を取得し（ステップ３６０）、取得した第３肌色測定結果を自動補正機能判定部２６０に出力する。
【００５９】
それから、自動補正機能判定部２６０は、ステップ３２０で取得した第１肌色測定結果と、ステップ３４０で取得した第２肌色測定結果と、ステップ３６０で取得した第３肌色測定結果とに基づいて、表示装置３０において自動肌色補正機能が働いているか否かを判定し（ステップ３７０）、得られた判定結果を表示制御部２１０に出力する。
【００６０】
ここで、第１肌色検査用画像を第１の表示画像とみなした場合、第２肌色検査用画像あるいは第３肌色検査用画像が第２の表示画像となる。また、第２肌色検査用画像を第１の表示画像とみなした場合、第３肌色検査用画像が第２の表示画像となる。なお、ステップ３００の自動肌色補正機能検査工程で使用する、第１肌色検査用画像、第２肌色検査用画像および第３肌色検査用画像の詳細については後述する。
【００６１】
そして、表示制御部２１０は、上述した自動輝度補正機能、自動中間調補正機能および自動肌色補正機能のうちの少なくともいずれか１つが、表示装置３０で働いていると判断した場合に、図４に示すステップ３０において肯定の判断（ＹＥＳ）を行うことになる。
【００６２】
図６は、図４のステップ２０および図５に示す自動補正機能検査工程において、表示装置３０の表示画面３１に表示される検査用画像Ｉの構成例を示す図である。本実施の形態では、図１等に示す表示装置３０の表示画面３１の全域にわたって、１つの検査用画像Ｉが表示される。
【００６３】
本実施の形態の検査用画像Ｉは、表示画面３１の大きさに合わせて横長の長方形状に形成される背景画像Ｉａと、同じく横長の長方形状に形成されるとともに背景画像Ｉａよりも小さな面積を有し、中心の位置が背景画像Ｉａと一致するように背景画像Ｉａに重ねて配置される、前景画像Ｉｂとを有している。その結果、前景画像Ｉｂは背景画像Ｉａによって囲われた状態となっている。なお、以下の説明においては、検査用画像Ｉにおける背景画像Ｉａの面積を背景面積Ｓａと呼び、検査用画像Ｉにおける前景画像Ｉｂの面積を前景面積Ｓｂと呼ぶ。
【００６４】
また、本実施の形態では、検査用画像Ｉの中心位置、すなわち、前景画像Ｉｂにおいて中央部となる領域が、図１等に示す測色器１００を用いた、表示画面３１上での測色領域Ｍとして設定される。このため、図５に示すステップ１２０、ステップ１４０、ステップ１６０、ステップ２２０、ステップ２４０、ステップ２６０、ステップ３２０、ステップ３４０およびステップ３６０のそれぞれにおいて取得される測定結果は、検査用画像Ｉにおける前景画像Ｉｂを読み取ったものとなる。それゆえ、本実施の形態では、図１に示す表示装置３０における表示画面３１の中央部が、測色器１００の取り付け位置として設定される。
【００６５】
なお、検査用画像Ｉにおける前景画像Ｉｂの形状は、長方形状に限られるものではなく、他の形状であってもかまわない。また、検査用画像Ｉにおける前景画像Ｉｂの位置は、背景画像Ｉａの中心に限られるものではなく、測色器１００による測色領域Ｍとしての設定が可能であれば、他の位置であってもよい。ただし、この場合においても、前景画像Ｉｂが背景画像Ｉａによって囲われた状態とすることが望ましい。
【００６６】
ここで、本実施の形態では、前景画像Ｉｂの表示領域における測色領域Ｍが対象領域に対応し、測色領域Ｍを除く前景画像Ｉｂの表示領域と背景画像Ｉａの表示領域との和が非対象領域に対応する。したがって、この例においては、測色領域Ｍに表示される前景画像Ｉｂが第１の画像に対応し、背景画像Ｉａおよび測色領域Ｍ以外に表示される前景画像Ｉｂが第２の画像あるいは第３の画像に対応することになる。そして、本実施の形態では、測色領域Ｍに前景画像Ｉｂが表示されるとともに、測色領域Ｍを取り囲む周辺の領域にも、同じ前景画像Ｉｂが表示されるようになっている。
【００６７】
また、本実施の形態における「平均階調値」は、対象領域および非対象領域のそれぞれにおける階調値の平均値として求まる。ここで、本実施の形態では、非対象領域が、階調値の異なる２つの画像（背景画像Ｉａおよび前景画像Ｉｂ）で構成されることとなるが、この場合における非対象領域の平均階調値は、非対象領域に表示される色（階調値）およびその色が占める面積の割合に基づいて求められる。例えば非対象領域を構成する画像の全面積のうち、（Ｒ，Ｇ，Ｂ）＝（１２８，１２８，１２８）に設定された前景画像Ｉｂの占める割合が３０％であり、（Ｒ，Ｇ，Ｂ）＝（６４，６４，６４）に設定された背景画像Ｉａの占める割合が７０％であった場合、非対象領域の平均階調値は、（１２８，１２８，１２８）×０．３＋（６４，６４，６４）×０．７≒（８３，８３，８３）となる。
【００６８】
図７は、本実施の形態で用いられる検査用画像Ｉの内容を説明するための図である。図７は、検査用画像Ｉを構成する輝度検査用画像Ｉ１、中間調検査用画像Ｉ２および肌色検査用画像Ｉ３と、輝度検査用画像Ｉ１、中間調検査用画像Ｉ２および肌色検査用画像Ｉ３のそれぞれを構成する背景画像Ｉａおよび前景画像Ｉｂとの関係を示している。図７において、背景画像Ｉａおよび前景画像Ｉｂには、それぞれ、赤（Ｒ）成分の大きさを示すＲ値、緑（Ｇ）成分の大きさを示すＧ値、青（Ｂ）成分の大きさを示すＢ値、ＲＧＢによって表現される色、および、面積が対応付けられている。なお、本実施の形態において、ＲＧＢ各色は、８ビットすなわち２５６階調で表現されており、Ｒ値、Ｇ値およびＢ値は、それぞれ０〜２５５の数値をとり得る。また、図７に示すＲ値、Ｇ値およびＢ値は、それぞれ、検査用画像Ｉの元となる検査用画像データにおける値（入力値）を意味している。
【００６９】
また、図８は、本実施の形態で用いられる輝度検査用画像Ｉ１の構造を説明するための図である。図８において、図８（ａ）はステップ１１０で出力され且つ表示される第１輝度検査用画像Ｉ１１を、図８（ｂ）はステップ１３０で出力され且つ表示される第２輝度検査用画像Ｉ１２を、図８（ｃ）はステップ１５０で出力され且つ表示される第３輝度検査用画像Ｉ１３を、それぞれ示している。
【００７０】
さらに、図９は、本実施の形態で用いられる中間調検査用画像Ｉ２の構造を説明するための図である。図９において、図９（ａ）はステップ２１０で出力され且つ表示される第１中間調検査用画像Ｉ２１を、図９（ｂ）はステップ２３０で出力され且つ表示される第２中間調検査用画像Ｉ２２を、図９（ｃ）はステップ２５０で出力され且つ表示される第３中間調検査用画像Ｉ２３を、それぞれ示している。
【００７１】
さらにまた、図１０は、本実施の形態で用いられる肌色検査用画像Ｉ３の構造を説明するための図である。図１０において、図１０（ａ）はステップ３１０で出力され且つ表示される第１肌色検査用画像Ｉ３１を、図１０（ｂ）はステップ３３０で出力され且つ表示される第２肌色検査用画像Ｉ３２を、図１０（ｃ）はステップ３５０で出力され且つ表示される第３肌色検査用画像Ｉ３３を、それぞれ示している。
【００７２】
最初に、図７および図８を参照しつつ、輝度検査用画像Ｉ１（第１輝度検査用画像Ｉ１１、第２輝度検査用画像Ｉ１２および第３輝度検査用画像Ｉ１３）について説明を行う。
【００７３】
まず、第１輝度検査用画像Ｉ１１は、黒色（Ｒ，Ｇ，Ｂ＝０，０，０）且つ背景面積Ｓａが第１背景面積Ｓａ１に設定される背景画像Ｉａと、白色（Ｒ，Ｇ，Ｂ＝２５５，２５５，２５５）且つ前景面積Ｓｂが第１前景面積Ｓｂ１に設定される前景画像Ｉｂとを有している。
【００７４】
また、第２輝度検査用画像Ｉ１２は、濃灰色（Ｒ，Ｇ，Ｂ＝６４，６４，６４）且つ背景面積Ｓａが第１背景面積Ｓａ１に設定される背景画像Ｉａと、白色（Ｒ，Ｇ，Ｂ＝２５５，２５５，２５５）且つ前景面積Ｓｂが第１前景面積Ｓｂ１に設定される前景画像Ｉｂとを有している。
【００７５】
さらに、第３輝度検査用画像Ｉ１３は、薄灰色（Ｒ，Ｇ，Ｂ＝１９２，１９２，１９２）且つ背景面積Ｓａが第１背景面積Ｓａ１に設定される背景画像Ｉａと、白色（Ｒ，Ｇ，Ｂ＝２５５，２５５，２５５）且つ前景面積Ｓｂが第１前景面積Ｓｂ１に設定される前景画像Ｉｂとを有している。
【００７６】
このように、輝度検査用画像Ｉ１を構成する第１輝度検査用画像Ｉ１１、第２輝度検査用画像Ｉ１２および第３輝度検査用画像Ｉ１３のそれぞれにおいては、背景画像Ｉａの背景面積Ｓａが第１背景面積Ｓａ１に、前景画像Ｉｂの前景面積Ｓｂが第１前景面積Ｓｂ１に、それぞれ一定に維持される。また、第１輝度検査用画像Ｉ１１、第２輝度検査用画像Ｉ１２および第３輝度検査用画像Ｉ１３のそれぞれにおいては、前景画像Ｉｂの各階調値が（Ｒ，Ｇ，Ｂ＝２５５，２５５，２５５）に一定に維持される。これに対し、背景画像Ｉａの各階調値は、第１輝度検査用画像Ｉ１１では（Ｒ，Ｇ，Ｂ＝０，０，０）に、第２輝度検査用画像Ｉ１２では（Ｒ，Ｇ，Ｂ＝６４，６４，６４）に、第３輝度検査用画像Ｉ１３では（Ｒ，Ｇ，Ｂ＝１９２，１９２，１９２）に、順次変化する。
【００７７】
したがって、これら第１輝度検査用画像Ｉ１１、第２輝度検査用画像Ｉ１２および第３輝度検査用画像Ｉ１３を、それぞれの階調値の平均値（平均階調値）で比較すると、第１輝度検査用画像Ｉ１１の平均階調値に比べて第２輝度検査用画像Ｉ１２の平均階調値が高いこととなり、第２輝度検査用画像Ｉ１２の平均階調値に比べて第３輝度検査用画像Ｉ１３の平均階調値が高いこととなる。
【００７８】
次に、図７および図９を参照しつつ、中間調検査用画像Ｉ２（第１中間調検査用画像Ｉ２１、第２中間調検査用画像Ｉ２２および第３中間調検査用画像Ｉ２３）について説明を行う。
【００７９】
まず、第１中間調検査用画像Ｉ２１は、黒色（Ｒ，Ｇ，Ｂ＝０，０，０）且つ背景面積Ｓａが第１背景面積Ｓａ１に設定される背景画像Ｉａと、濃灰色と薄灰色との間となる中灰色（Ｒ，Ｇ，Ｂ＝１２８，１２８，１２８）且つ前景面積Ｓｂが第１前景面積Ｓｂ１に設定される前景画像Ｉｂとを有している。
【００８０】
また、第２中間調検査用画像Ｉ２２は、濃灰色（Ｒ，Ｇ，Ｂ＝６４，６４，６４）且つ背景面積Ｓａが第１背景面積Ｓａ１に設定される背景画像Ｉａと、中灰色（Ｒ，Ｇ，Ｂ＝１２８，１２８，１２８）且つ前景面積Ｓｂが第１前景面積Ｓｂ１に設定される前景画像Ｉｂとを有している。
【００８１】
さらに、第３中間調検査用画像Ｉ２３は、薄灰色（Ｒ，Ｇ，Ｂ＝１９２，１９２，１９２）且つ背景面積Ｓａが第１背景面積Ｓａ１に設定される背景画像Ｉａと、中灰色（Ｒ，Ｇ，Ｂ＝１２８，１２８，１２８）且つ前景面積Ｓｂが第１前景面積Ｓｂ１に設定される前景画像Ｉｂとを有している。
【００８２】
このように、中間調検査用画像Ｉ２を構成する第１中間調検査用画像Ｉ２１、第２中間調検査用画像Ｉ２２および第３中間調検査用画像Ｉ２３のそれぞれにおいては、背景画像Ｉａの背景面積Ｓａが第１背景面積Ｓａ１に、前景画像Ｉｂの前景面積Ｓｂが第１前景面積Ｓｂ１に、それぞれ一定に維持される。また、第１中間調検査用画像Ｉ２１、第２中間調検査用画像Ｉ２２および第３中間調検査用画像Ｉ２３のそれぞれにおいては、前景画像Ｉｂの各階調値が（Ｒ，Ｇ，Ｂ＝１２８，１２８，１２８）に一定に維持される。これに対し、背景画像Ｉａの各階調値は、第１中間調検査用画像Ｉ２１では（Ｒ，Ｇ，Ｂ＝０，０，０）に、第２中間調検査用画像Ｉ２２では（Ｒ，Ｇ，Ｂ＝６４，６４，６４）に、第３中間調検査用画像Ｉ２３では（Ｒ，Ｇ，Ｂ＝１９２，１９２，１９２）に、順次変化する。
【００８３】
したがって、これら第１中間調検査用画像Ｉ２１、第２中間調検査用画像Ｉ２２および第３中間調検査用画像Ｉ２３を、それぞれの平均階調値で比較すると、第１中間調検査用画像Ｉ２１の平均階調値に比べて第２中間調検査用画像Ｉ２２の平均階調値が高いこととなり、第２中間調検査用画像Ｉ２２の平均階調値に比べて第３中間調検査用画像Ｉ２３の平均階調値が高いこととなる。
【００８４】
最後に、図７および図１０を参照しつつ、肌色検査用画像Ｉ３（第１肌色検査用画像Ｉ３１、第２肌色検査用画像Ｉ３２および第３肌色検査用画像Ｉ３３）について説明を行う。
【００８５】
まず、第１肌色検査用画像Ｉ３１は、黒色（Ｒ，Ｇ，Ｂ＝０，０，０）且つ背景面積Ｓａが第１背景面積Ｓａ１に設定される背景画像Ｉａと、中赤色（Ｒ，Ｇ，Ｂ＝１２８，０，０）且つ前景面積Ｓｂが第１前景面積Ｓｂ１に設定される前景画像Ｉｂとを有している。
【００８６】
また、第２肌色検査用画像Ｉ３２は、濃灰色（Ｒ，Ｇ，Ｂ＝６４，６４，６４）且つ背景面積Ｓａが第１背景面積Ｓａ１に設定される背景画像Ｉａと、中赤色（Ｒ，Ｇ，Ｂ＝１２８，０，０）且つ前景面積Ｓｂが第１前景面積Ｓｂ１に設定される前景画像Ｉｂとを有している。
【００８７】
さらに、第３肌色検査用画像Ｉ３３は、薄灰色（Ｒ，Ｇ，Ｂ＝１９２，１９２，１９２）且つ背景面積Ｓａが第１背景面積Ｓａ１に設定される背景画像Ｉａと、中赤色（Ｒ，Ｇ，Ｂ＝１２８，０，０）且つ前景面積Ｓｂが第１前景面積Ｓｂ１に設定される前景画像Ｉｂとを有している。
【００８８】
このように、肌色検査用画像Ｉ３を構成する第１肌色検査用画像Ｉ３１、第２肌色検査用画像Ｉ３２および第３肌色検査用画像Ｉ３３のそれぞれにおいては、背景画像Ｉａの背景面積Ｓａが第１背景面積Ｓａ１に、前景画像Ｉｂの前景面積Ｓｂが第１前景面積Ｓｂ１に、それぞれ一定に維持される。また、第１肌色検査用画像Ｉ３１、第２肌色検査用画像Ｉ３２および第３肌色検査用画像Ｉ３３のそれぞれにおいては、前景画像Ｉｂの各階調値が（Ｒ，Ｇ，Ｂ＝１２８，０，０）に一定に維持される。これに対し、背景画像Ｉａの各階調値は、第１肌色検査用画像Ｉ３１では（Ｒ，Ｇ，Ｂ＝０，０，０）に、第２肌色検査用画像Ｉ３２では（Ｒ，Ｇ，Ｂ＝６４，６４，６４）に、第３肌色検査用画像Ｉ３３では（Ｒ，Ｇ，Ｂ＝１９２，１９２，１９２）に、順次変化する。
【００８９】
したがって、これら第１肌色検査用画像Ｉ３１、第２肌色検査用画像Ｉ３２および第３肌色検査用画像Ｉ３３を、それぞれの平均階調値で比較すると、第１肌色検査用画像Ｉ３１の平均階調値に比べて第２肌色検査用画像Ｉ３２の平均階調値が高いこととなり、第２肌色検査用画像Ｉ３２の平均階調値に比べて第３肌色検査用画像Ｉ３３の平均階調値が高いこととなる。
【００９０】
なお、肌色検査用画像Ｉ３において第１肌色検査用画像Ｉ３１、第２肌色検査用画像Ｉ３２および第３肌色検査用画像Ｉ３３のそれぞれを構成する前景画像Ｉｂを赤色（中赤色）としているのは、ＲＧＢの３色で肌色を表現する場合に、Ｇ（緑）およびＢ（青）に比べて、赤（Ｒ）が支配的となるためである。
【００９１】
図１１（ａ）〜（ｃ）は、図５のステップ１７０に示す自動輝度補正機能の判定手法を説明するための図である。図１１（ａ）〜（ｃ）のそれぞれにおいて、横軸は、ステップ１２０で取得される第１輝度測定結果（「第１輝度」と記す）、ステップ１４０で取得される第２輝度測定結果（「第２輝度」と記す）およびステップ１６０で取得される第３輝度測定結果（「第３輝度」と記す）であり、縦軸は、各測定結果から求められた輝度（Ｌ＊ａ＊ｂ＊色空間におけるＬ＊成分）である。したがって、第１輝度は、図８（ａ）に示す第１輝度検査用画像Ｉ１１における前景画像Ｉｂ（測色領域Ｍ）の読取結果に対応し、第２輝度は、図８（ｂ）に示す第２輝度検査用画像Ｉ１２における前景画像Ｉｂ（測色領域Ｍ）の読取結果に対応し、第３輝度は、図８（ｃ）に示す第３輝度検査用画像Ｉ１３における前景画像Ｉｂ（測色領域Ｍ）の読取結果に対応する。
【００９２】
まず、図１１（ａ）に示す例について説明を行う。
図１１（ａ）に示す例では、第１輝度と第２輝度と第３輝度とが、ほぼ同じ大きさとなっている。これは、表示画面３１に表示される輝度検査用画像Ｉ１の平均階調値とは関係なく、前景画像Ｉｂの輝度がほぼ一定に維持されることを意味する。したがって、このような結果が得られた場合には、検査対象となる表示装置３０において、自動輝度補正機能が働いていないと判定することができる。
【００９３】
次に、図１１（ｂ）に示す例について説明を行う。
図１１（ｂ）に示す例では、第１輝度よりも第２輝度が小さくなっており、第２輝度よりも第３輝度が小さくなっている。これは、表示画面３１に表示される輝度検査用画像Ｉ１の平均階調値が高くなるほど、前景画像Ｉｂの輝度が低くなることを意味する。したがって、このような結果が得られた場合には、検査対象となる表示装置３０において、自動輝度補正機能が働いていると判定することができる。なお、第１輝度〜第３輝度がこのような傾向を示す場合、表示装置３０は、表示画面３１に表示する画像が明るくなるほど表示画面３１全体の輝度を下げることで、表示装置３０の電力消費を抑えることを目的とした自動輝度補正を行っていることになる。
【００９４】
最後に、図１１（ｃ）に示す例について説明を行う。
図１１（ｃ）に示す例では、第１輝度よりも第２輝度が大きくなっており、第２輝度よりも第３輝度が大きくなっている。これは、表示画面３１に表示される輝度検査用画像Ｉ１の平均階調値が高くなるほど、前景画像Ｉｂの輝度が高くなることを意味する。したがって、このような結果が得られた場合にも、検査対象となる表示装置３０において、自動輝度補正機能が働いていると判定することができる。なお、第１輝度〜第３輝度がこのような傾向を示す場合、表示装置３０は、表示画面３１に表示する画像が明るくなるほど表示画面３１全体の輝度を上げることで、表示画面３１に表示する画像のコントラスト（メリハリ）を向上させることを目的とした自動輝度補正を行っていることになる。
【００９５】
なお、ここでは詳細な説明を行わないが、図５のステップ２７０に示す自動中間調補正機能の判定、および、図５のステップ３７０に示す自動肌色補正機能の判定においても、上述した自動輝度補正機能の判定と同様に、３つの測定結果から得られた３つの輝度（第１輝度、第２輝度および第３輝度）の比較を行い、その傾向から、自動中間調補正を行っているか否か、あるいは、自動肌色補正を行っているか否かについての判定を行うことができる。
【００９６】
＜実施の形態２＞
本実施の形態の基本構成は、実施の形態１とほぼ同じであるが、表示装置３０の表示画面３１に表示させる検査用画像Ｉにおける背景画像Ｉａと前景画像Ｉｂとの関係が実施の形態１とは異なる。なお、本実施の形態において、実施の形態１と同様のものについては、同じ符号を付してその詳細な説明を省略する。
【００９７】
図１２は、本実施の形態で用いられる検査用画像Ｉの内容を説明するための図である。図１２は、検査用画像Ｉを構成する輝度検査用画像Ｉ１、中間調検査用画像Ｉ２および肌色検査用画像Ｉ３と、輝度検査用画像Ｉ１、中間調検査用画像Ｉ２および肌色検査用画像Ｉ３のそれぞれを構成する背景画像Ｉａおよび前景画像Ｉｂとの関係を示している。図１２において、背景画像Ｉａおよび前景画像Ｉｂには、それぞれ、赤（Ｒ）成分の大きさを示すＲ値、緑（Ｇ）成分の大きさを示すＧ値、青（Ｂ）成分の大きさを示すＢ値、ＲＧＢによって表現される色、および、面積が対応付けられている。
【００９８】
また、図１３は、本実施の形態で用いられる輝度検査用画像Ｉ１の構造を説明するための図である。図１３において、図１３（ａ）はステップ１１０で出力され且つ表示される第１輝度検査用画像Ｉ１１を、図１３（ｂ）はステップ１３０で出力され且つ表示される第２輝度検査用画像Ｉ１２を、図１３（ｃ）はステップ１５０で出力され且つ表示される第３輝度検査用画像Ｉ１３を、それぞれ示している。
【００９９】
さらに、図１４は、本実施の形態で用いられる中間調検査用画像Ｉ２の構造を説明するための図である。図１４において、図１４（ａ）はステップ２１０で出力され且つ表示される第１中間調検査用画像Ｉ２１を、図１４（ｂ）はステップ２３０で出力され且つ表示される第２中間調検査用画像Ｉ２２を、図１４（ｃ）はステップ２５０で出力され且つ表示される第３中間調検査用画像Ｉ２３を、それぞれ示している。
【０１００】
さらにまた、図１５は、本実施の形態で用いられる肌色検査用画像Ｉ３の構造を説明するための図である。図１５において、図１５（ａ）はステップ３１０で出力され且つ表示される第１肌色検査用画像Ｉ３１を、図１５（ｂ）はステップ３３０で出力され且つ表示される第２肌色検査用画像Ｉ３２を、図１５（ｃ）はステップ３５０で出力され且つ表示される第３肌色検査用画像Ｉ３３を、それぞれ示している。
【０１０１】
最初に、図１２および図１３を参照しつつ、輝度検査用画像Ｉ１（第１輝度検査用画像Ｉ１１、第２輝度検査用画像Ｉ１２および第３輝度検査用画像Ｉ１３）について説明を行う。
【０１０２】
まず、第１輝度検査用画像Ｉ１１は、黒色（Ｒ，Ｇ，Ｂ＝０，０，０）且つ背景面積Ｓａが第１背景面積Ｓａ１に設定される背景画像Ｉａと、白色（Ｒ，Ｇ，Ｂ＝２５５，２５５，２５５）且つ前景面積Ｓｂが第１前景面積Ｓｂ１に設定される前景画像Ｉｂとを有している。
【０１０３】
また、第２輝度検査用画像Ｉ１２は、黒色（Ｒ，Ｇ，Ｂ＝０，０，０）且つ背景面積Ｓａが第２背景面積Ｓａ２（＜Ｓａ１）に設定される背景画像Ｉａと、白色（Ｒ，Ｇ，Ｂ＝２５５，２５５，２５５）且つ前景面積Ｓｂが第２前景面積Ｓｂ２（＞Ｓｂ１）に設定される前景画像Ｉｂとを有している。
【０１０４】
さらに、第３輝度検査用画像Ｉ１３は、黒色（Ｒ，Ｇ，Ｂ＝０，０，０）且つ背景面積Ｓａが第３背景面積Ｓａ３（＜Ｓａ２）に設定される背景画像Ｉａと、白色（Ｒ，Ｇ，Ｂ＝２５５，２５５，２５５）且つ前景面積Ｓｂが第３前景面積Ｓｂ３（＞Ｓｂ２）に設定される前景画像Ｉｂとを有している。
【０１０５】
このように、輝度検査用画像Ｉ１を構成する第１輝度検査用画像Ｉ１１、第２輝度検査用画像Ｉ１２および第３輝度検査用画像Ｉ１３のそれぞれにおいては、背景画像Ｉａの各階調値が（Ｒ，Ｇ，Ｂ＝０，０，０）に、前景画像Ｉｂの各階調値が（Ｒ，Ｇ，Ｂ＝２５５，２５５，２５５）に、それぞれ一定に維持される。これに対し、背景画像Ｉａの各背景面積Ｓａは、第１輝度検査用画像Ｉ１１では第１背景面積Ｓａ１に、第２輝度検査用画像Ｉ１２では第２背景面積Ｓａ２に、第３輝度検査用画像Ｉ１３では第３背景面積Ｓａ３に、順次変化する（Ｓａ１＞Ｓａ２＞Ｓａ３）。また、前景画像Ｉｂの各前景面積Ｓｂは、第１輝度検査用画像Ｉ１１では第１前景面積Ｓｂ１に、第２輝度検査用画像Ｉ１２では第２前景面積Ｓｂ２に、第３輝度検査用画像Ｉ１３では第３前景面積Ｓｂ３に、順次変化する（Ｓｂ１＜Ｓｂ２＜Ｓｂ３）。
【０１０６】
したがって、これら第１輝度検査用画像Ｉ１１、第２輝度検査用画像Ｉ１２および第３輝度検査用画像Ｉ１３を、それぞれの階調値の平均値（平均階調値）で比較すると、第１輝度検査用画像Ｉ１１の平均階調値に比べて第２輝度検査用画像Ｉ１２の平均階調値が高いこととなり、第２輝度検査用画像Ｉ１２の平均階調値に比べて第３輝度検査用画像Ｉ１３の平均階調値が高いこととなる。
【０１０７】
次に、図１２および図１４を参照しつつ、中間調検査用画像Ｉ２（第１中間調検査用画像Ｉ２１、第２中間調検査用画像Ｉ２２および第３中間調検査用画像Ｉ２３）について説明を行う。
【０１０８】
まず、第１中間調検査用画像Ｉ２１は、黒色（Ｒ，Ｇ，Ｂ＝０，０，０）且つ背景面積Ｓａが第１背景面積Ｓａ１に設定される背景画像Ｉａと、中灰色（Ｒ，Ｇ，Ｂ＝１２８，１２８，１２８）且つ前景面積Ｓｂが第１前景面積Ｓｂ１に設定される前景画像Ｉｂとを有している。
【０１０９】
また、第２中間調検査用画像Ｉ２２は、黒色（Ｒ，Ｇ，Ｂ＝０，０，０）且つ背景面積Ｓａが第２背景面積Ｓａ２（＜Ｓａ１）に設定される背景画像Ｉａと、中灰色（Ｒ，Ｇ，Ｂ＝１２８，１２８，１２８）且つ前景面積Ｓｂが第２前景面積Ｓｂ２（＞Ｓｂ１）に設定される前景画像Ｉｂとを有している。
【０１１０】
さらに、第３中間調検査用画像Ｉ２３は、黒色（Ｒ，Ｇ，Ｂ＝０，０，０）且つ背景面積Ｓａが第３背景面積Ｓａ３（＜Ｓａ２）に設定される背景画像Ｉａと、中灰色（Ｒ，Ｇ，Ｂ＝１２８，１２８，１２８）且つ前景面積Ｓｂが第３前景面積Ｓｂ３（＞Ｓｂ２）に設定される前景画像Ｉｂとを有している。
【０１１１】
このように、中間調検査用画像Ｉ２を構成する第１中間調検査用画像Ｉ２１、第２中間調検査用画像Ｉ２２および第３中間調検査用画像Ｉ２３のそれぞれにおいては、背景画像Ｉａの各階調値が（Ｒ，Ｇ，Ｂ＝０，０，０）に、前景画像Ｉｂの各階調値が（Ｒ，Ｇ，Ｂ＝１２８，１２８，１２８）に、それぞれ一定に維持される。これに対し、背景画像Ｉａの各背景面積Ｓａは、第１中間調検査用画像Ｉ２１では第１背景面積Ｓａ１に、第２中間調検査用画像Ｉ２２では第２背景面積Ｓａ２に、第３中間調検査用画像Ｉ２３では第３背景面積Ｓａ３に、順次変化する（Ｓａ１＞Ｓａ２＞Ｓａ３）。また、前景画像Ｉｂの各前景面積Ｓｂは、第１中間調検査用画像Ｉ２１では第１前景面積Ｓｂ１に、第２中間調検査用画像Ｉ２２では第２前景面積Ｓｂ２に、第３中間調検査用画像Ｉ２３では第３前景面積Ｓｂ３に、順次変化する（Ｓｂ１＜Ｓｂ２＜Ｓｂ３）。
【０１１２】
したがって、これら第１中間調検査用画像Ｉ２１、第２中間調検査用画像Ｉ２２および第３中間調検査用画像Ｉ２３を、それぞれの平均階調値で比較すると、第１中間調検査用画像Ｉ２１の平均階調値に比べて第２中間調検査用画像Ｉ２２の平均階調値が高いこととなり、第２中間調検査用画像Ｉ２２の平均階調値に比べて第３中間調検査用画像Ｉ２３の平均階調値が高いこととなる。
【０１１３】
最後に、図１２および図１５を参照しつつ、肌色検査用画像Ｉ３（第１肌色検査用画像Ｉ３１、第２肌色検査用画像Ｉ３２および第３肌色検査用画像Ｉ３３）について説明を行う。
【０１１４】
まず、第１肌色検査用画像Ｉ３１は、黒色（Ｒ，Ｇ，Ｂ＝０，０，０）且つ背景面積Ｓａが第１背景面積Ｓａ１に設定される背景画像Ｉａと、中赤色（Ｒ，Ｇ，Ｂ＝１２８，０，０）且つ前景面積Ｓｂが第１前景面積Ｓｂ１に設定される前景画像Ｉｂとを有している。
【０１１５】
また、第２肌色検査用画像Ｉ３２は、黒色（Ｒ，Ｇ，Ｂ＝０，０，０）且つ背景面積Ｓａが第２背景面積Ｓａ２（＜Ｓａ１）に設定される背景画像Ｉａと、中赤色（Ｒ，Ｇ，Ｂ＝１２８，０，０）且つ前景面積Ｓｂが第２前景面積Ｓｂ２（＞Ｓｂ１）に設定される前景画像Ｉｂとを有している。
【０１１６】
さらに、第３肌色検査用画像Ｉ３３は、黒色（Ｒ，Ｇ，Ｂ＝０，０，０）且つ背景面積Ｓａが第３背景面積Ｓａ３（＜Ｓａ２）に設定される背景画像Ｉａと、中赤色（Ｒ，Ｇ，Ｂ＝１２８，０，０）且つ前景面積Ｓｂが第３前景面積Ｓｂ３（＞Ｓｂ２）に設定される前景画像Ｉｂとを有している。
【０１１７】
このように、肌色検査用画像Ｉ３を構成する第１肌色検査用画像Ｉ３１、第２肌色検査用画像Ｉ３２および第３肌色検査用画像Ｉ３３のそれぞれにおいては、背景画像Ｉａの各階調値が（Ｒ，Ｇ，Ｂ＝０，０，０）に、前景画像Ｉｂの各階調値が（Ｒ，Ｇ，Ｂ＝１２８，０，０）に、それぞれ一定に維持される。これに対し、背景画像Ｉａの各背景面積Ｓａは、第１肌色検査用画像Ｉ３１では第１背景面積Ｓａ１に、第２肌色検査用画像Ｉ３２では第２背景面積Ｓａ２に、第３肌色検査用画像Ｉ３３では第３背景面積Ｓａ３に、順次変化する（Ｓａ１＞Ｓａ２＞Ｓａ３）。また、前景画像Ｉｂの各前景面積Ｓｂは、第１肌色検査用画像Ｉ３１では第１前景面積Ｓｂ１に、第２肌色検査用画像Ｉ３２では第２前景面積Ｓｂ２に、第３肌色検査用画像Ｉ３３では第３前景面積Ｓｂ３に、順次変化する（Ｓｂ１＜Ｓｂ２＜Ｓｂ３）。
【０１１８】
したがって、これら第１肌色検査用画像Ｉ３１、第２肌色検査用画像Ｉ３２および第３肌色検査用画像Ｉ３３を、それぞれの平均階調値で比較すると、第１肌色検査用画像Ｉ３１の平均階調値に比べて第２肌色検査用画像Ｉ３２の平均階調値が高いこととなり、第２肌色検査用画像Ｉ３２の平均階調値に比べて第３肌色検査用画像Ｉ３３の平均階調値が高いこととなる。
【０１１９】
本実施の形態においても、実施の形態１と同じ手法を用いて、自動輝度補正を行っているか否か、自動中間調補正を行っているか否か、および、自動肌色補正を行っているか否かについての判定を行うことできる。
【０１２０】
なお、実施の形態１、２では、自動輝度補正機能、自動中間調補正機能および自動肌色補正機能についてすべて検査を行っていたが、これに限られるものではなく、少なくともこれらのうちの１つを検査するものであればよい。
【０１２１】
また、実施の形態１、２では、検査用画像Ｉとして用いる背景画像Ｉａあるいは前景画像Ｉｂとして、最小階調値となる（Ｒ，Ｇ，Ｂ＝０，０，０）や最大階調値となる（Ｒ，Ｇ，Ｂ＝２５５，２５５，２５５）を用いることがあったが、これに限られるものではなく、最小階調値以外の低階調値あるいは最大階調値以外の高階調値を用いることもできる。
【０１２２】
さらに、本実施の形態では、自動輝度補正機能検査、自動中間調補正機能検査および自動肌色補正機能検査のそれぞれにおいて、３つの検査用画像Ｉを用いていたが、これについては、少なくとも２つであればよい。ただし、補正機能の傾向についても把握を行いたい場合には、３つ以上の検査用画像Ｉを用いることが好ましい。
【０１２３】
さらにまた、本実施の形態では、有彩色の自動補正機能として自動肌色補正機能を例に挙げて説明を行ったが、他の有彩色であってもかまわない。そして、この場合には、検査用画像Ｉにおける前景画像Ｉｂの色が緑（Ｇ）や青（Ｂ）となることもあり得る。
【０１２４】
＜実施の形態３＞
実施の形態１および実施の形態２では、表示装置３０の表示画面３１に表示させた検査用画像Ｉを測色器１００で読み取った結果（検査用測色データ）に基づいて、コンピュータ装置２０が、自動補正機能の設定の有無を判断するようにしていた。これに対し、本実施の形態では、表示装置３０の表示画面３１に表示させた検査用画像Ｉを作業者が目視で確認した結果に基づいて、自動補正機能の設定の有無を判断できるようにしたものである。なお、本実施の形態において、実施の形態１および２と同様のものについては、同じ符号を付してその詳細な説明を省略する。
【０１２５】
図１６は、本実施の形態における検査用画像の表示処理の手順を示すフローチャートである。なお、この処理は、画像データ出力装置の一例としてのコンピュータ装置２０が実行する。
この処理では、出力画像データ作成部２２０が、検査用画像記憶部２３０から読み出した元データに基づいて第１輝度検査用画像データを作成し、作成した第１検査用画像データを表示装置３０に向けて出力する（ステップ４１０）。これに伴い、表示装置３０は、入力されてくる第１輝度検査用画像データに基づいて、表示画面３１に第１輝度検査用画像Ｉ１１を表示させる。そして、作業者は、表示画面３１に表示された第１輝度検査用画像Ｉ１１を目視にて確認する。
【０１２６】
次に、出力画像データ作成部２２０は、検査用画像記憶部２３０から読み出した元データに基づいて第２輝度検査用画像データを作成し、作成した第２輝度検査用画像データを表示装置３０に向けて出力する（ステップ４２０）。これに伴い、表示装置３０は、入力されてくる第２輝度検査用画像データに基づいて、表示画面３１に第２輝度検査用画像Ｉ１２を表示させる。そして、作業者は、表示画面３１に表示された第２輝度検査用画像Ｉ１２を目視にて確認する。
【０１２７】
図１７は、本実施の形態において、表示装置３０の表示画面３１に表示される検査用画像Ｉの構成例を示す図である。本実施の形態でも、図１等に示す表示装置３０の表示画面３１の全域にわたって、１つの検査用画像Ｉが表示される。
【０１２８】
本実施の形態の検査用画像Ｉは、表示画面３１の大きさに合わせて横長の長方形状に形成される背景画像Ｉａと、同じく横長の長方形状に形成されるとともに背景画像Ｉａよりも小さな面積を有し、中心の位置が背景画像Ｉａと一致するように背景画像Ｉａに重ねて配置される前景画像Ｉｂとを有している。また、本実施の形態の前景画像Ｉｂは、横長の長方形状に形成される第１前景画像Ｉｂ１と、同じく横長の長方形状に形成されるとともに第１前景画像Ｉｂ１よりも大きな面積を有し、中心の位置が第１前景画像Ｉｂ１と一致するように配置される第２前景画像Ｉｂ２とを有している。その結果、前景画像Ｉｂは背景画像Ｉａによって囲われた状態となり、且つ、前景画像Ｉｂにおいて第１前景画像Ｉｂ１は第２前景画像Ｉｂ２によって囲われた状態となっている。なお、以下の説明においては、前景画像Ｉｂにおける第１前景画像Ｉｂ１の面積をイン側前景面積Ｓｂｉと呼び、前景画像Ｉｂにおける第２前景画像Ｉｂ２の面積をアウト側前景面積Ｓｂｏと呼ぶ。
【０１２９】
図１８は、本実施の形態で用いられる検査用画像Ｉ（より具体的には輝度検査用画像Ｉ１）の内容を説明するための図である。図１８は、輝度検査用画像Ｉ１を構成する第１輝度検査用画像Ｉ１１および第２輝度検査用画像Ｉ１２と、第１輝度検査用画像Ｉ１１および第２輝度検査用画像Ｉ１２のそれぞれを構成する背景画像Ｉａおよび前景画像Ｉｂ（第１前景画像Ｉｂ１および第２前景画像Ｉｂ２）との関係を示している。図１８において、背景画像Ｉａおよび前景画像Ｉｂには、それぞれ、赤（Ｒ）成分の大きさを示すＲ値、緑（Ｇ）成分の大きさを示すＧ値、青（Ｂ）成分の大きさを示すＢ値、ＲＧＢによって表現される色、および、面積が対応付けられている。
【０１３０】
また、図１９は、本実施の形態で用いられる輝度検査用画像Ｉ１の構造を説明するための図である。図１９において、図１９（ａ）はステップ４１０で出力され且つ表示される第１輝度検査用画像Ｉ１１を、図１９（ｂ）はステップ４２０で出力され且つ表示される第２輝度検査用画像Ｉ１２を、それぞれ示している。
【０１３１】
では、図１８および図１９を参照しつつ、輝度検査用画像Ｉ１（第１輝度検査用画像Ｉ１１および第２輝度検査用画像Ｉ１２）について説明を行う。
【０１３２】
まず、第１輝度検査用画像Ｉ１１は、濃灰色（Ｒ，Ｇ，Ｂ＝６４，６４，６４）且つ背景面積Ｓａが第４背景面積Ｓａ４に設定される背景画像Ｉａと、白色（Ｒ，Ｇ，Ｂ＝２５５，２５５，２５５）且つイン側前景面積Ｓｂｉが第４前景面積Ｓｂ４に設定される第１前景画像Ｉｂ１と、黒色（Ｒ，Ｇ，Ｂ＝０，０，０）且つアウト側前景面積Ｓｂｏが第５前景面積Ｓｂ５に設定される第２前景画像Ｉｂ２とを有している。
【０１３３】
また、第２輝度検査用画像Ｉ１２は、薄灰色（Ｒ，Ｇ，Ｂ＝１９２，１９２，１９２）且つ背景面積が第４背景面積Ｓａ４に設定される背景画像Ｉａと、白色（Ｒ，Ｇ，Ｂ＝２５５，２５５，２５５）且つイン側前景面積Ｓｂｉが第４前景面積Ｓｂ４に設定される第１前景画像Ｉｂ１と、黒色（Ｒ，Ｇ，Ｂ＝０，０，０）且つアウト側前景面積Ｓｂｏが第５前景面積Ｓｂ５に設定される第２前景画像Ｉｂ２とを有している。
【０１３４】
このように、輝度検査用画像Ｉ１を構成する第１輝度検査用画像Ｉ１１および第２輝度検査用画像Ｉ１２のそれぞれにおいては、背景画像Ｉａの背景面積Ｓａが第４背景面積Ｓａ４に、第１前景画像Ｉｂ１のイン側前景面積Ｓｂｉが第４前景面積Ｓｂ４に、第２前景画像Ｉｂ２のアウト側前景面積Ｓｂｏが第５前景面積Ｓｂ５に、一定に維持される。また、第１輝度検査用画像Ｉ１１および第２輝度検査用画像Ｉ１２のそれぞれにおいては、第１前景画像Ｉｂ１の各階調値が（Ｒ，Ｇ，Ｂ＝２５５，２５５，２５５）に、第２前景画像Ｉｂ２の各階調値が（Ｒ，Ｇ，Ｂ＝０，０，０）に、一定に維持される。これに対し、背景画像Ｉａの各階調値は、第１輝度検査用画像Ｉ１１では（Ｒ，Ｇ，Ｂ＝６４，６４，６４）に、第２輝度検査用画像Ｉ１２では（Ｒ，Ｇ，Ｂ＝１９２，１９２，１９２）に、順次変化する。
【０１３５】
したがって、これら第１輝度検査用画像Ｉ１１および第２輝度検査用画像Ｉ１２を、それぞれの階調値の平均値（平均階調値）で比較すると、第１輝度検査用画像Ｉ１１の平均階調値に比べて第２輝度検査用画像Ｉ１２の平均階調値が高いこととなる。
【０１３６】
ここで、上述した輝度検査用画像Ｉ１（第１輝度検査用画像Ｉ１１および第２輝度検査用画像Ｉ１２）を、表示装置３０を用いて表示画面３１に表示させた場合について考えてみる。
表示装置３０において自動輝度補正機能が働いていないとすると、表示画面３１に第１輝度検査用画像Ｉ１１を表示させた場合と第２輝度検査用画像Ｉ１２を表示させた場合とで、第１前景画像Ｉｂ１の明るさに、目視で確認できる程度の変化は生じ難い。一方、表示装置３０において自動輝度補正機能が働いていたとすると、表示画面３１に第１輝度検査用画像Ｉ１１を表示させた場合と第２輝度検査用画像Ｉ１２を表示させた場合とで、第１前景画像Ｉｂ１の明るさに、目視で確認できる程度の変化が生じ得る。このとき、最大階調値となる（Ｒ，Ｇ，Ｂ＝２５５，２５５，２５５）に設定された第１前景画像Ｉｂ１の周囲には、最小階調値となる（Ｒ，Ｇ，Ｂ＝０，０，０）に設定された第２前景画像Ｉｂ２が配置されていることから、第１輝度検査用画像Ｉ１１における第１前景画像Ｉｂ１と、第２輝度検査用画像Ｉ１２における第１前景画像Ｉｂ１との明るさの違いは見分けやすくなっている。
【０１３７】
したがって、本実施の形態のような検査用画像Ｉを用いることにより、表示装置３０で自動輝度補正機能が働いているか否かを、測色器１００を使用せずに、作業者の目視による確認結果に基づいて判断することが可能となる。
【０１３８】
なお、実施の形態１におけるコンピュータ装置２０は、測色の対象となる対象領域の色を固定するとともに測色の対象とはならない背景領域の色を異ならせた画像データを、表示装置に出力する出力手段と、前記画像データに基づき前記表示装置が表示する表示画像における前記対象領域の測色結果に基づいて、当該表示装置における自動補正機能の有無を判定する判定手段と含む自動補正機能判定装置として把握することができる。
【０１３９】
また、実施の形態１におけるコンピュータ装置２０は、第１の色に設定された第１領域と第２の色に設定された第２領域とを含む第１画像データ、および、当該第１の色に設定され且つ当該第１領域と同じ大きさに設定された第３領域と第３の色に設定され且つ当該第２領域と同じ大きさに設定された第４領域とを含む第２画像データを作成する作成手段と、前記第１画像データに基づいて表示装置の表示画面に表示された第１画像における前記第１領域の色の測定結果と、前記第２画像データに基づいて当該表示装置の当該表示画面に表示された第２画像における前記第３領域の色の測定結果とに基づいて、当該表示装置における自動補正機能の設定の有無を判定する判定手段とを含む自動補正機能判定装置、として把握することができる。
【０１４０】
さらに、実施の形態２におけるコンピュータ装置２０は、測色の対象となる対象領域の色と測色の対象とはならない背景領域の色とを固定するとともに当該対象領域と当該背景領域との面積比を異ならせた画像データを、表示装置に出力する出力手段と、前記画像データに基づき前記表示装置が表示する表示画像における前記対象領域の測色結果に基づいて、当該表示装置における自動補正機能の有無を判定する判定手段とを含む自動補正機能判定装置、として把握することができる。
【０１４１】
さらにまた、実施の形態２におけるコンピュータ装置２０は、第１の色に設定された第１領域と第２の色に設定された第２領域とを含む第１画像データ、および、当該第１の色に設定され且つ当該第１領域よりも大きく設定された第３領域と当該第２の色に設定され且つ当該第２領域よりも小さく設定された第４領域とを含む第２画像データを作成する作成手段と、前記第１画像データに基づいて表示装置の表示画面に表示された第１画像における前記第１領域の色の測定結果と、前記第２画像データに基づいて当該表示装置の当該表示画面に表示された第２画像における前記第３領域の色の測定結果とに基づいて、当該表示装置における自動補正機能の設定の有無を判定する判定手段とを含む自動補正機能判定装置、として把握することができる。
【符号の説明】
【０１４２】
１０…画像表示システム、２０…コンピュータ装置、２１…ＣＰＵ、２２…メインメモリ、２３…ＨＤＤ、２４…通信インタフェース、３０…表示装置、３１…表示画面、４０…入力装置、１００…測色器、２１０…表示制御部、２２０…出力画像データ作成部、２３０…検査用画像記憶部、２４０…較正用画像記憶部、２５０…測色データ取得部、２６０…自動補正機能判定部、２７０…色変換プロファイル作成部、２８０…色変換プロファイル記憶部
【図１】
2015091010.tif 000003
【図２】
2015091010.tif 000004
【図３】
2015091010.tif 000005
【図４】
2015091010.tif 000006
【図５】
2015091010.tif 000007
【図６】
2015091010.tif 000008
【図７】
2015091010.tif 000009
【図８】
2015091010.tif 000010
【図９】
2015091010.tif 000011
【図１０】
2015091010.tif 000012
【図１１】
2015091010.tif 000013
【図１２】
2015091010.tif 000014
【図１３】
2015091010.tif 000015
【図１４】
2015091010.tif 000016
【図１５】
2015091010.tif 000017
【図１６】
2015091010.tif 000018
【図１７】
2015091010.tif 000019
【図１８】
2015091010.tif 000020
【図１９】
2015091010.tif 000021